(57)【要約】【課題】密着型イメージセンサーにおいて、ロッドレンズアレイと受光センサー間の空間にゴミが侵入することを有効に防止する。【解決手段】ロッドレンズアレイは、多数のロッドレンズを２枚の平行な基板，と左右両端のスペーサー，との間に、各ロッドレンズの中心軸が互いに平行となるように配列した１つのロッドレンズ列を備える。各基板は、ロッドレンズの軸線方向に沿って出射側に、ロッドレンズの作動距離に対応した長さの延長部ａ，ａを有する。各基板の延長部の下端をそれぞれセンサー基板の上面に当接させることにより、ロッドレンズアレイは受光センサーに対して高精度に位置決めされる。【選択図】図５
2015022291.tif 000002
【特許請求の範囲】
【請求項１】
２枚の平行な基板の間に複数の柱状のロッドレンズを配列したロッドレンズアレイと、
前記ロッドレンズアレイの各前記ロッドレンズにより結像される画像を受光する複数の光電変換素子をセンサー基板上に実装した受光センサーとを備え、
前記ロッドレンズアレイの各前記基板が、それぞれ前記ロッドレンズアレイの出射側に所定の距離延長する延長部を有し、
前記ロッドレンズアレイが、前記各基板の前記延長部を前記センサー基板に係合させ、
前記各ロッドレンズの光軸を前記光電変換素子に整合させるように配置されているイメージセンサーユニット。
【請求項２】
前記ロッドレンズアレイが、前記基板の前記延長部の下端を、前記センサー基板上面に当接させ又は前記センサー基板上面に設けた穴に嵌合させることによって、前記センサー基板に係合させる請求項１に記載のイメージセンサーユニット。
【請求項３】
請求項１又は２に記載のイメージセンサーユニットを備える画像読取装置。
【発明の詳細な説明】
【技術分野】
【０００１】
本発明は、イメージスキャナー等の画像読取装置や他の様々な光学デバイスに使用されるイメージセンサーユニット、及びこれを備えた画像読取装置に関する。
【背景技術】
【０００２】
従来より、ファクシミリ、複写機、イメージスキャナー、プリンター等の画像読取装置や他の様々な光学デバイスには、原稿の画像を光学的に読み取って電気信号に変換するために、等倍結像光学系の密着型イメージセンサー（ＣＩＳ）が広く使用されている。ＣＩＳは、２枚の基板の間に多数の円柱状のロッドレンズを、それらの中心軸を互いに平行にして１列又は２列以上に配列したロッドレンズアレイを備える（例えば、特許文献１を参照）。
【０００３】
ロッドレンズは、その中心軸から外周に向けて屈折率が連続的に低くなる屈折率分布を持つように設計される。ロッドレンズは当初、ロッド状のガラス材料を紡糸成形し、イオン交換処理又は陽イオンの熱相互交換により屈折率分布を付与して製造されるガラス製レンズが主流であった（例えば、特許文献２を参照）。
【０００４】
現在は、比較的低コストで、屈折率分布を精密に制御できるプラスチック製ロッドレンズが多く採用されている（例えば、特許文献３を参照）。
【０００５】
ＣＩＳは、その内部に外部からゴミが侵入したり、内部の構成部材から加工屑が剥がれたりすると、画像の読み取りやセンサー出力に悪影響を及ぼす虞がある。特に原稿を載せる透明部材即ちプラテンガラスとロッドレンズアレイとの間に存在する空間にゴミが侵入することを防ぐために、ロッドレンズアレイをプラテンガラスと支持部材との間に隙間無く挟んで、ゴミが侵入し得る空間を無くしたＣＩＳが知られている（例えば、特許文献４を参照）。
【０００６】
また、ＣＩＳの組み立てにおいて、ロッドレンズアレイを所定位置に高精度に位置決めして最適の光学性能を得る必要がある。ロッドレンズアレイの精密な位置決めや微調整を不要にしかつＣＩＳへの組み込みを容易にするために、ロッドレンズアレイの一方のレンズ端面に、該ロッドレンズの作動距離と同じ光学長の短冊状の透明導光部材を貼着し、該透明導光部材の他方の面に受光素子アレイを接合一体化したマイクロレンズアレイ構造体が提案されている（例えば、特許文献５を参照）。
【先行技術文献】
【特許文献】
【０００７】
【特許文献１】特開２０１２−２４４３４４号公報
【特許文献２】特開平１０−１３９４７２号公報
【特許文献３】特開２０１２−７８７５０号公報
【特許文献４】特開平５−３４４２７６号公報
【特許文献５】特開平５−１３４１０４号公報
【発明の概要】
【発明が解決しようとする課題】
【０００８】
基本的に、上記光学デバイスには小型化の強い要求があり、同様に密着型イメージセンサーも、原稿等の被写体と像との距離即ち結像距離を短くして小型化を図ることが要求されている。他方、密着型イメージセンサーは、原稿の浮き等によって原稿面とロッドレンズとの距離が多少変動しても鮮明な画像を読み取れるように、ロッドレンズの焦点深度をできるだけ深く設定することが必要である。
【０００９】
図９は、正立等倍結像系における従来のロッドレンズの結像を模式的に示している。同図において、ロッドレンズ１は、半径ｒ0一定、レンズ長Ｚ0の円柱状レンズで、その入射端及び出射端に平坦に研磨された入射面２及び出射面３を有する。ロッドレンズ１は、その屈折率が中心軸における屈折率Ｎ1から半径方向に向けて連続的に低下している。原稿面４上の点像Ｐ0から出た光は、ロッドレンズ１の入射面２から入射して、該ロッドレンズ内を光軸方向に一定の周期で蛇行して進み、出射面３から出射して、受光素子の受光面５上に点像Ｉ0を結像する。ここで、点像Ｐ0と入射面２との距離即ち作動距離Ｌ0は、点像Ｉ0と出射面３との距離に等しい。
【００１０】
ロッドレンズ１の焦点深度は、開口数に反比例し、開口数は、中心の屈折率Ｎ1、屈折率分布定数、及びレンズ半径ｒ0に比例する。従って、中心の屈折率Ｎ1及び屈折率分布定数が一定の場合、焦点深度を深くするためには、レンズ半径ｒ0を小さくしなければならない。しかし、レンズ半径ｒ0を小さくすると、ロッドレンズアレイの作製上取り扱いや加工が難しくなるだけでなく、ロッドレンズ１の明るさが開口数の２乗に比例して急激に低下するため、画像の読み取り性能が低下する虞がある。
【００１１】
また、ロッドレンズ１の作動距離Ｌ0は、レンズ長Ｚ0に対し正接に変化し、中心の屈折率Ｎ1及び屈折率分布定数の平方に反比例する。そのため、中心の屈折率Ｎ1及びレンズ半径ｒ0を一定にして、屈折率分布定数を小さくすると、レンズ長Ｚ0が一定の場合、作動距離Ｌ0が長くなる。その結果、ロッドレンズ１の共役長（物像間距離＝Ｚ0＋２Ｌ0）が長くなり、光学系全体の長さが長くなるので、ロッドレンズアレイ及びこれを備えたイメージセンサーの小型化を図ることはできない。そこで、レンズ長Ｚ0を短くして、作動距離Ｌ0を長くしないようにすると、ロッドレンズ１の視野半径が小さくなる。そのため、周期的な光量むらを発生させる虞があるので、好ましくない。
【００１２】
そこで、本願発明者らは、屈折率がその中心軸から外周に向けて連続的に低下する屈折率分布を有する複数の柱状のロッドレンズを、それらの中心軸を平行にして少なくとも１列に配列し、各ロッドレンズが、それぞれ光軸方向に沿って入射側端部領域の中心屈折率と出射側端部領域の中心屈折率とが等しく、かつ中間領域の中心屈折率が両端部領域の中心屈折率より高くなる屈折率の分布特性を有するロッドレンズアレイを案出した。このような屈折率分布を付与することによって、ロッドレンズの中間領域では、光が両端部領域よりも短い周期で蛇行して進むので、光路長が実質的に長くなる。従って、ロッドレンズの光軸方向のレンズ長が同じであっても、従来のロッドレンズに比して焦点深度を深く設定することができる。
【００１３】
図１０は、従来のロッドレンズアレイを組み込んだ密着型イメージセンサーユニット６の断面を模式的に示している。イメージセンサーユニット６は、ハウジング７の所定位置に、図９のロッドレンズ１からなるロッドレンズアレイ８、受光センサー９、及び照明装置１０が装着保持されている。受光センサー９は、センサー基板１１上に多数の光電変換素子１２がライン状に配列されている。ロッドレンズアレイ８は、ロッドレンズ１の光軸１ａがセンサー基板１１に対して垂直をなしかつ光電変換素子１２の中心を通るように、高精度に位置決めされる。
【００１４】
従来のロッドレンズ１は作動距離が比較的短いので、ロッドレンズアレイ８とセンサー基板１１との間に画定される空間は比較的小さい。そのため、この空間に外部からゴミが侵入したり内部の構成部材から加工屑等が落下して、画像の読み取りやセンサー出力に悪影響を与える可能性は比較的低い。また、ロッドレンズアレイ８とセンサー基板１１との位置合わせも、比較的容易である。同様に、ロッドレンズアレイ８と、その上方に設置されるプラテンガラスとの位置合わせも、ロッドレンズ１の作動距離が比較的短いことによって、比較的容易である。
【００１５】
上述したように本願発明者らが案出した新規なロッドレンズを使用すると、焦点深度が大きくなって作動距離が長くなる。そのため、ロッドレンズアレイと受光センサーとの間には、従来より大きな空間が画定される。このような大きな空間はゴミが侵入し易く、また、入ったゴミは空間内を容易く移動して、ロッドレンズアレイと受光センサー間の光路に侵入したり、ロッドレンズの出射面や受光センサーの光電変換素子に付着し易く、画像の読み取りやセンサー出力に悪影響を及ぼす虞がある。
【００１６】
しかしながら、特許文献４記載のＣＩＳは、ロッドレンズアレイと受光センサー間の空間に侵入するゴミの影響を全く考慮していない（例えば、同文献中段落００２８）。また、特許文献５記載のマイクロレンズアレイ構造体は、透明導光部材やこれをレンズアレイに貼着する接着剤の材質や接着状態によって、その光学特性が変化する虞があり、安定した性能を確保することは困難である。
【００１７】
本発明は、上述した従来の問題点に鑑みてなされてもので、その目的は、作動距離が長いロッドレンズアレイを使用することによって、該ロッドレンズアレイと受光センサーとの間に大きな空間が画定される場合でも、この空間内にゴミが侵入することを有効に防止し、それにより安定した画像の読み取り性能を確保し得るイメージセンサーユニット及び画像読取装置を提供することにある。
【００１８】
更に、本発明の目的は、イメージセンサーユニット及び画像読取装置において、ロッドレンズアレイと受光センサーとを、更に好ましくはロッドレンズアレイとプラテンガラスとをも、容易に高精度に位置決めできるようにすることである。
【課題を解決するための手段】
【００１９】
本発明によれば、２枚の平行な基板の間に複数の柱状のロッドレンズを配列したロッドレンズアレイと、ロッドレンズアレイの各ロッドレンズにより結像される画像を受光する複数の光電変換素子をセンサー基板上に実装した受光センサーとを備え、ロッドレンズアレイの各基板が、それぞれロッドレンズアレイの出射側に所定の距離延長する延長部を有し、ロッドレンズアレイが、基板の延長部をセンサー基板に係合させ、各ロッドレンズの光軸を光電変換素子に整合させるように配置されているイメージセンサーユニットが提供される。
【００２０】
このようにロッドレンズアレイを受光センサーに対して配置することによって、ロッドレンズアレイの出射面とセンサー基板との間には、ロッドレンズアレイの基板の延長部によって閉じられた狭い空間が、光電変換素子を閉じ込めるように画定される。これによって、ロッドレンズの作動距離が長い場合でも、ゴミがロッドレンズと光電変換素子間の光路に侵入したり、ロッドレンズの出射面や光電変換素子の受光面に付着することを、有効に防止することができる。更に、ロッドレンズアレイをセンサー基板に対して、所望の高さ及び平面位置に簡単に正確に位置決めすることができる。
【００２１】
或る実施例では、ロッドレンズアレイが、基板の延長部の下端を、センサー基板上面に当接させ又はセンサー基板上面に設けた穴に嵌合させることによって、センサー基板に係合させる。これによって、ロッドレンズアレイを受光センサーに対して所望の位置に容易に配置することができる。
【００２２】
また、本発明によれば、上述した本発明のイメージセンサーユニットを備える画像読取装置が提供される。これにより、常に安定して優れた出力画像を得ることができる。
【図面の簡単な説明】
【００２３】
【図１】本発明のイメージセンサーユニットを搭載したイメージスキャナーの概略斜視図である。
【図２】本発明のイメージセンサーユニットを模式的に示す分解斜視図である。
【図３】図２のロッドレンズアレイを模式的に示す一部破砕斜視図である。
【図４】図３のロッドレンズの結像を説明する図である。
【図５】本実施態様のイメージセンサーユニットを示す概略断面図である。
【図６】図２のロッドレンズアレイを従来構造のイメージセンサーユニットに搭載した状態を模式的に説明する図である。
【図７】図５の変形例のイメージセンサーユニットを示す概略断面図である。
【図８】図７の変形例のイメージセンサーユニットを示す概略断面図である。
【図９】従来のロッドレンズの結像を説明する図である。
【図１０】従来の密着型イメージセンサーユニットを示す概略断面図である。
【発明を実施するための形態】
【００２４】
以下に、添付図面を参照しつつ、本発明の好適な実施態様について詳細に説明する。
【００２５】
図１は、本発明による好適な本実施態様のイメージセンサーユニットを搭載したイメージスキャナーの概略斜視図である。本実施例のイメージスキャナー２０は、フラットベッド方式の画像読取装置であり、概ね矩形箱型の本体部２１と、前記本体部にその一端で図示しないヒンジにより開閉自在に取り付けられたプラテンカバー２２とを備える。
【００２６】
本体部２１は、その上面に固定された大型矩形の透明ガラス板からなるプラテンガラス２３と、本発明による密着型イメージセンサーユニット２４とを備える。プラテンガラス２３の上面には、読み取り対象の原稿がその原稿面を下向きにして載置される。プラテンカバー２２を閉じると、その内面に設けた押圧部材２２ａによって、前記原稿面はプラテンガラス上面に密接する。
【００２７】
イメージセンサーユニット２４は、プラテンガラス２３の直ぐ下側に配置され、その上面を前記プラテンガラスの下面に密接させて、保持部材２５によって保持されている。前記原稿の読み取り時、前記イメージセンサーユニットは、駆動モーター２６によりワイヤー２７等を介して駆動され、スライドシャフト２８に沿って原稿の読取方向即ち副走査方向に移動する。
【００２８】
図２は、本実施態様のイメージセンサーユニット２４の基本的な構成を模式的に示している。イメージセンサーユニット２４は、光源１９と、本発明によるロッドレンズアレイ２０と、受光センサー２１とを備える。受光センサー２１は、センサー基板２２上に実装された多数の光電変換素子２３を有する。ロッドレンズアレイ２０は、その下端の出射面を前記光電変換素子に整合させて、受光センサー２１に一体に装着されている。光源１９から照射された光は、原稿２４の原稿面で反射されてロッドレンズアレイ２０上端の入射面に入射し、前記出射面から出射されて光電変換素子２３に結像する。
【００２９】
図２は、本実施態様のイメージセンサーユニット２４の基本的な構成を模式的に示している。イメージセンサーユニット２４は、照明装置２９と、ロッドレンズアレイ３０と、受光センサー３１とを備える。更にイメージセンサーユニット２４は、前記照明装置、ロッドレンズアレイ及び受光センサーを所定位置に装着保持するハウジングを有する。
【００３０】
受光センサー３１は、センサー基板３２上にライン状に実装された多数の光電変換素子３３を有する。光電変換素子３３には、例えばＣＭＯＳイメージセンサーやＣＣＤイメージセンサー等の固体撮像素子が使用される。ロッドレンズアレイ３０は、その下端の出射面を前記光電変換素子に整合させるように配置される。照明装置２９から照射された照明光は、原稿３４の原稿面で反射されてロッドレンズアレイ３０上端の入射面に入射し、下端の出射面から出射されて光電変換素子３３に結像する。
【００３１】
照明装置２９は、光源として、ＬＥＤ等の発光素子と、該発光素子から発した光を導光する導光体ロッドとを有する。前記導光体ロッドは、例えばガラス、アクリル樹脂、エポキシ樹脂等の高い透光性を有する透明材料で形成され、イメージセンサーユニット２４の読取ライン幅に対応した長さを有する。前記導光体ロッドは、その長手方向の略全長に亘って対向する出射面と光散乱面とを有する。前記発光素子から前記導光体ロッドの端面に入射した光は、該導光体ロッドの内面で反射しながら長手方向に導光され、前記光散乱面により反射されて、前記長手方向に一様な光量の照明光として原稿２４に照射される。
【００３２】
図３は、イメージセンサーユニット２４に使用する線走査用のロッドレンズアレイ３０の構成を模式的に示している。ロッドレンズアレイ３０は、多数のロッドレンズ４０を２枚の矩形の基板４１，４２とスペーサー４３，４４との間に、前記各ロッドレンズの中心軸即ち光軸４０ａが互いに平行となるように、イメージセンサーユニット２４の主走査方向に沿って配列した１つのロッドレンズ列を備える。ロッドレンズ４０と基板４１，４２及びスペーサー４３，４４との隙間は、例えば熱硬化性の黒色シリコン樹脂４５が充填され、それにより前記ロッドレンズを接着固定している。
【００３３】
両基板４１，４２は、それぞれロッドレンズ４０の光軸方向に沿ってその出射側に所定の長さ延長する延長部４１ａ，４２ａを有する。延長部４１ａ，４２ａの前記所定の長さは、例えばロッドレンズ４０の作動距離に基づいて設定することができる。
【００３４】
本実施態様では、延長部４１ａ，４２ａが前記ロッドレンズの光軸方向に沿って同一の長さを有し、かつ前記ロッドレンズアレイの長手方向に沿って一定の長さに形成されている。別の実施態様では、延長部４１ａ，４２ａの前記光軸方向の長さが異なるようにすることができる。また、前記各延長部の前記光軸方向の長さは、必ずしも前記ロッドレンズアレイの長手方向に沿って一定でなくても良い。
【００３５】
本実施態様では、隣接するロッドレンズ同士４０が、図示するように、互いに密接するように配置されている。別の本実施態様では、ロッドレンズ４０間に一定の隙間を空けて配置することもできる。また、前記ロッドレンズ列は、２列又はそれ以上の複数列に配列することもできる。
【００３６】
ロッドレンズ４０は、中心軸即ち光軸に沿って半径ｒ1の一様な円形断面を有し、前記光軸に直交する両端面を平坦に研磨した円柱状レンズである。各ロッドレンズ４０は、その屈折率が中心軸から外周に向けて連続的に低下する屈折率分布を有する。更に、本実施態様のロッドレンズ４０は、その屈折率が光軸方向に沿って連続的に変化する屈折率の分布特性を有する。
【００３７】
また、ロッドレンズ４０は、その円形断面の大きさや形状を軸線方向に沿って変化させることができる。更に、ロッドレンズ４０の断面形状は、例えば多角形や十字形など、円形以外の様々な形状にすることができる。
【００３８】
図５に示すように、ロッドレンズ４０は、光軸方向に沿って入射側の端部領域Ｘ1と出射側の端部領域Ｘ2とが、中心軸の屈折率即ち中心屈折率が互いにＮ1で等しい同じ屈折率分布Ｑ1を有する。これに対し、それらの間の中間領域Ｘ3は、中心屈折率Ｎ2がＮ1より大きく、入射側及び出射側端部領域Ｘ1、Ｘ2とは異なる屈折率分布Ｑ2を有するように設計されている。これにより、原稿面３４ａ上の点像Ｐ1から反射された光は、ロッドレンズ４０の入射面４６から入射側端部領域Ｘ1を屈折率分布Ｑ1に従って蛇行して進み、中間領域Ｘ3に入ると、光は屈折率分布Ｑ2に従って蛇行して進む。更に、出射側端部領域Ｘ2を最初の屈折率分布Ｑ1に従って蛇行して進み、出射面４７から出射して光電変換素子３３の受光面３３ａに点像Ｉ1を結像する。
【００３９】
光軸方向の屈折率分布は、入射側及び出射側端部領域Ｘ1、Ｘ2と中間領域Ｘ3との間で屈折率が漸次変化するように設定することができる。別の実施例では、屈折率が入射側及び出射側端部領域Ｘ1、Ｘ2と中間領域Ｘ3との間で急峻に変化するように設定することができる。また、中間領域Ｘ3において、屈折率が光軸方向に沿って連続的に変化するように設定することができる。その場合、最大となる中心屈折率Ｎ2が、必ずしもロッドレンズ４０の光軸方向中央位置でなくてもよい。
【００４０】
上述したように光軸方向の屈折率分布を付与することによって、入射側端部領域Ｘ1及び出射側端部領域Ｘ2を光軸方向に蛇行する光の周期は等しい。これに対し、中間領域Ｘ3を光軸方向に蛇行する光の周期は、入射側及び出射側端部領域Ｘ1、Ｘ2よりも短くなる。ここで、点像Ｐ1と入射面４０ａとの距離即ち作動距離Ｌ1は、点像Ｉ1と出射面４７との距離に等しい。
【００４１】
これを図９の従来のロッドレンズ１と比較する。両ロッドレンズ１，４０は、そのレンズ半径ｒ0、ｒ1が同一で、焦点深度が同じである、即ち作動距離Ｌ0、Ｌ1が等しいと仮定する。本実施態様のロッドレンズ４０は、中間領域Ｘ3の長さが、従来のロッドレンズ１の対応する中間領域よりも短くなるので、その分、レンズ長Ｚ1が従来のロッドレンズ１のレンズ長Ｚ0よりも短くなる。その結果、ロッドレンズ４０は、同じ焦点深度を維持しつつ、その共役長（＝Ｚ１＋２Ｌ1）が従来のロッドレンズ１よりも短くなるので、ロッドレンズアレイ３０及びイメージセンサー２４の小型化を図ることができる。また、レンズ半径が同一であるから、画像の読み取り性能が低下する虞は無い。
【００４２】
ロッドレンズ４０は、従来技術を利用して製造することができる。例えば、ゲルマニウムドープ石英ガラス材料で製造する場合、屈折率分布を付与するために照射する紫外光の強度を光軸方向に沿って変化させることによって、光軸方向に異なる屈折率分布を付与しえることが知られている。また、プラスチック材料の場合、高分子材料に照射するレーザ光の集光領域を調節することによって、光軸方向に屈折率を変化させ得ることが知られている。
【００４３】
図５は、本実施態様のイメージセンサーユニット２４を断面示している。同図に示すように、受光センサー３１が、イメージセンサーユニット２４のハウジング４８の下端に、光電変換素子３３を内側即ち図中上方に向けて、例えばねじ、締結具、接着剤等の適当な固定手段により所定位置に固定されている。
【００４４】
ロッドレンズアレイ３０は、基板４１，４２の延長部４１ａ，４２ａを下向きにして、前記延長部の間に光電変換素子３３が位置するように、受光センサー３１の上方に配置される。ロッドレンズアレイ３０は、延長部４１ａ，４２ａの両下端をセンサー基板３２の上面に当接させ、かつロッドレンズ４０の光軸４０ａが光電変換素子３３の中心を通るように位置決めして、ハウジング４８に固定される。ロッドレンズアレイ３０は、延長部４１ａ，４２ａの下端においてセンサー基板３２に直接固定し、受光センサー３１と一体に構成することもできる
【００４５】
このようにして、ロッドレンズアレイ３０の出射面とセンサー基板３２との間に、光電変換素子３３を閉じ込めるように基板４１，４２の延長部４１ａ，４２ａによって図中左右方向に閉じられた狭い空間が画定される。これにより、ロッドレンズ４０の作動距離が長くなっても、ゴミがロッドレンズ４０と光電変換素子３３間の光路に侵入したり、ロッドレンズ４０の出射面や光電変換素子３３の受光面に付着することが有効に防止される。
【００４６】
更に、ロッドレンズアレイ３０をセンサー基板３２に対して、所望の高さ及び平面位置に簡単に正確に位置決めすることができる。図６（Ａ）は、比較例として、作動距離が長い図４のロッドレンズ４０をそれと同じ長さの２枚の基板で挟んだ従来構造のロッドレンズアレイ３０’を、図９の従来構造と同様にしてハウジング４８’に装着した場合を示している。ここで、受光センサー３１のセンサー基板３２が上下方向に僅かに傾いてハウジング４８’に取り付けられたとき、ロッドレンズ４０の入光範囲Ｄ1と、光電変換素子３３の受光範囲Ｓ1との間に、位置及び傾きのずれが生じる。
【００４７】
図６（Ｂ）は、作動距離が短い従来のロッドレンズアレイ８をハウジング６に装着した図１０のイメージセンサーユニット６において、同様に受光センサー９のセンサー基板１１が上下方向に、図６（Ａ）と同じだけ僅かに傾いて前記ハウジングに取り付けられた場合を示している。この場合も、ロッドレンズ８の入光範囲Ｄ0と、光電変換素子１２の受光範囲Ｓ0との間に、位置及び傾きのずれが生じる。図６（Ａ）と図６（Ｂ）とを対比すると、ずれの傾きは同じであるが、図６（Ａ）の場合は図６（Ｂ）よりも、位置のずれが相当大きくなっていることが分かる。このロッドレンズ４０の入光範囲Ｄ1と光電変換素子３３の受光範囲Ｓ1との位置ずれは、出力画像を大きく劣化させる虞がある。
【００４８】
本実施態様は、ロッドレンズアレイ４０の前記基板の延長部４１ａ，４２ａの下端をセンサー基板３２の上面に当接させるので、たとえ前記センサー基板がハウジング４８に傾いて取り付けられても、ロッドレンズ４０の入光範囲と光電変換素子３３の受光範囲との間に、上述した位置ずれが生じる虞はない。従って、常に安定して優れた出力画像を得ることができる。
【００４９】
また、ロッドレンズアレイ４０の基板４１，４２に適当な固さを持たせることによって、センサー基板３２の変形を抑制することができる。
プラテンガラス
【００５０】
図７は、本実施態様の変形例によるイメージセンサーユニット２４を示している。同図に示すように、この変形例では、受光センサー３１のセンサー基板３２に貫通穴４９，５０が、ロッドレンズアレイ４０の前記基板の延長部４１ａ，４２ａに対応する位置に設けられている。貫通穴４９，５０は、延長部４１ａ，４２ａの形状及び寸法に合わせた１つの溝状に形成されている。
【００５１】
ロッドレンズアレイ４０は、基板４１，４２の延長部４１ａ，４２ａをそれぞれ対応する貫通穴４９，５０に嵌合させて、所望の位置に固定される。これにより、ロッドレンズアレイ４０と受光センサー３１とを一体化し、両者をより確実に位置決めすることができる。
【００５２】
図８は、図７の変形例によるイメージセンサーユニット２４を示している。同図に示すように、この変形例では、受光センサー３１のセンサー基板３２に、貫通穴に代えて、有底穴５１，５２が、ロッドレンズアレイ４０の前記基板の延長部４１ａ，４２ａに対応する位置に設けられている。有底穴５１，５２は、延長部４１ａ，４２ａの形状及び寸法に合わせた溝状に形成されている。
【００５３】
ロッドレンズアレイ４０は、基板４１，４２の延長部４１ａ，４２ａをそれぞれ対応する有底穴５１，５２に嵌合させて、所望の位置に固定される。これにより、同様にロッドレンズアレイ４０と受光センサー３１とを一体化し、両者をより確実に位置決めすることができる。
【００５４】
特に図７及び図８の実施例では、基板４１，４２の延長部４１ａ，４２ａをロッドレンズアレイ４０の長手方向全長に亘って一定の長さにしなくても良い。例えば、センサー基板３２に貫通穴又は有底穴を、連続した１つの溝状ではなく、多数の溝又は穴で形成することができる。この場合、前記基板の延長部４１ａ，４２ａは、貫通穴又は有底穴に対応する部分だけを、各穴の深さに応じて長く突出させることもできる。
【００５５】
以上、本発明を好適な実施態様に関連して説明したが、本発明は上記実施態様に限定されるものでなく、その技術的範囲において、様々な変更又は変形を加えて実施し得ることは言うまでもない。
【符号の説明】
【００５６】
２０  イメージスキャナー
２１  本体部
２２  プラテンカバー
２４  イメージセンサーユニット
２９  照明装置
３０  ロッドレンズアレイ
３１  受光センサー
３２  センサー基板
３３  光電変換素子
３４  原稿
４０  ロッドレンズ
４０ａ  光軸
４１、４２  基板
４１ａ、４２ａ  延長部
４３、４４  スペーサー
【図１】
2015022291.tif 000003
【図２】
2015022291.tif 000004
【図３】
2015022291.tif 000005
【図４】
2015022291.tif 000006
【図５】
2015022291.tif 000007
【図６】
2015022291.tif 000008
【図７】
2015022291.tif 000009
【図８】
2015022291.tif 000010
【図９】
2015022291.tif 000011
【図１０】
2015022291.tif 000012